(57)【要約】【課題】窓ガラスやドアガラスその他のガラスに接着・剥離可能に貼付することによって、ガラスを通した視線からの遮蔽、直射日光の遮光、紫外線吸収、結露防止を耐久性を有して、かつ、簡便に行うとともに、更には和紙や不織布によってガラスとは異質の装飾を施すためのガラス粘着シートを提供する。【解決手段】吸水性を有する和紙又は不織布からなる表面シート２と、表面シート２の裏面に貼合された支持フィルム層３と、支持フィルム層３に塗布された粘着剤層４と、粘着剤層４に剥離可能に接着された剥離シート５からなり、粘着剤層４によってガラス面に接着可能なガラス粘着シート１を提供する。【選択図】図２
0003164192.tif 000002
【実用新案登録請求の範囲】
【請求項１】
吸水性を有する和紙又は不織布からなる表面シートと、表面シートの裏面に貼合された支持フィルム層と、支持フィルム層に塗布された粘着剤層と、粘着剤層に剥離可能に接着された剥離シートからなり、粘着剤層によってガラス面に接着可能なことを特徴とするガラス粘着シート。
【請求項２】
表面シートが紫外線吸収性を有する請求項１記載のガラス粘着シート。
【請求項３】
粘着剤層によって、ガラス面に接着・剥離可能とした請求項１又は２記載のガラス粘着シート。
【請求項４】
表面シートに模様を付した請求項１，２又は３記載のガラス粘着シート。
【請求項５】
ガラス粘着シートを矩形状に形成した請求項１，２，３又は４記載のガラス粘着シート。
【請求項６】
ガラス粘着シートをロール状に巻形成した請求項１，２，３又は４記載のガラス粘着シート。
【考案の詳細な説明】
【技術分野】
【０００１】
本考案は、窓ガラスやドアガラスその他のガラスに接着・剥離可能に貼付することによって、ガラスを通した視線からの遮蔽、直射日光の遮光、紫外線吸収、結露防止を耐久性を有して、かつ、簡便に行うとともに、更には和紙や不織布によってガラスとは異質の装飾を施すためのガラス粘着シートに関する。
【背景技術】
【０００２】
従来から窓ガラスやドアガラス等の遮光や目隠しとしては、カーテンやブラインドが伝統的に使用されてきた。また、近時はカーテン等に代わる遮蔽具として、基材となる紙の片面に、ガラス窓に対して繰り返し取り付け取り外し可能な吸着層を設け、この吸着層でガラス窓に吸着させるようにしたガラス窓用目隠し（特許文献１）や、透水性を有する和紙に含浸された水溶性接着剤を乾燥させてなるガラス貼付け用紙（特許文献２）、或いは貼着体本体の裏面に形成された粘着層とその上面に貼付された剥離シートから構成された窓用貼着体（特許文献３）等が提供されている。
【先行技術文献】
【特許文献】
【０００３】
【特許文献１】特開平１１−２８０３５８号公報
【特許文献２】特開２００１−２００４９６号公報
【特許文献３】特開平１１−１１６９１８号公報
【考案の開示】
【考案が解決しようとする課題】
【０００４】
カーテンやブラインドを窓ガラス等に装着するには、カーテンレール等の専用の治具を必要とし、又窓ガラスやドアガラスとは別体であるため、カーテン等の存在そのものが住環境に煩わしさを与える原因ともなる場合がある。更に、近時の住環境の変化によって、マンション等の高層階に居住する場合は、他人の視線の遮蔽そのものが必要ない場合もあり、カーテン等を装備していないケースもある。
【０００５】
また、特許文献１に示すガラス窓用目隠しは基材となる紙の片面に接着層を設けただけであるため、取扱時や窓ガラスへの吸着時に紙が破損してしまうおそれがあり、耐久性に欠ける。同様に特許文献２に示すガラス貼付け用紙も和紙と水溶性接着剤からなるため、取扱時に和紙が破損するおそれもあり、耐久性に欠ける。また、特許文献３に示す窓用貼着体も、使用時は貼着体本体と粘着層からなるため、取り扱い時に貼着体本体が破損するおそれがある。
【０００６】
そこで、出願人はこれらの課題を解決し、ガラスを通した視線からの遮蔽、直射日光の遮光を耐久性を有して、かつ、簡便に行うとともに、新たに、紫外線吸収、結露防止、更には和紙や不織布によってガラスとは異質の装飾を施すためのガラス粘着シートを提供することを目的とする。
【課題を解決するための手段】
【０００７】
本考案は、上記課題を解決するために、吸水性を有する和紙又は不織布からなる表面シートと、表面シートの裏面に貼合された支持フィルム層と、支持フィルム層に塗布された粘着剤層と、粘着剤層に剥離可能に接着された剥離シートからなり、粘着剤層によってガラス面に接着可能なガラス粘着シートを基本として提供する。
【０００８】
そして、表面シートが紫外線吸収性を有する構成、粘着剤層によって、ガラス面に接着・剥離可能とした構成とする。また、表面シートに模様を付した構成、ガラス粘着シートを矩形状に形成した構成、ガラス粘着シートをロール状に巻形成した構成を提供する。
【考案の効果】
【０００９】
本考案によれば、和紙又は不織布からなる表面シートにはフィルム層が貼合されているため、ガラスを通した視線からの遮蔽、直射日光の遮光を耐久性を有して行うことができる。また、表面シートは吸水性や紫外線吸収性能を有しているため、結露の防止や紫外線をカットすることができる。更に、表面シートに模様を付すことによって、ガラスの持つ冷たさを緩和することのできる柔らかな装飾を施すことができ、しかもその装飾を通して光を透過させることができる。
【００１０】
また、フィルム層に塗布された粘着剤層を介してガラス面に接着するため、表面シートはフィルム層に支持された状態で接着することができて、取り扱いが容易である。しかも、粘着剤層をガラス面に接着・剥離可能とすることにより、接着時における接着作業の繰り返しや修正が容易であり、又再使用や別の場所への移動も可能である。そして、保存時や輸送時には剥離シートによって粘着剤層が被覆されているため、取り扱いが容易である。
【図面の簡単な説明】
【００１１】
【図１】本考案にかかるガラス粘着シートの正面図。
【図２】図１のＡ−Ａ断面図。
【図３】断面構造を示す説明図。
【考案を実施するための形態】
【００１２】
以下図面に基づいて本考案にかかるガラス粘着シートの実施形態を説明する。図１は本考案にかかるガラス粘着シート１の正面図であり、図２は図１のＡ−Ａ断面図、図３は断面構造を示す説明図である。図において、２は表面シートであり、３は表面シート２の裏面に貼合された支持フィルム層、４は支持フィルム３の裏面に塗布された粘着剤層、５は粘着剤層４に剥離可能に接着された剥離シートであり、これらの表面シート２、支持フィルム層３、粘着剤層４、剥離シート５を一体としてガラス粘着シート１が構成されている。
【００１３】
表面シート２は、吸水性を有する和紙又は不織布から構成され、その具体的な素材や厚さ、密度等は任意に使用用途に応じて設定することができる。例えば、靱皮繊維を使用した伝統的な和紙、パルプと化学繊維を混抄して抄紙した和紙、或いは不織布を使用することができる。本実施形態では、表面シート２の素材として、パルプにポリプロピレンやレーヨンを混抄して抄紙した和紙を使用した。
【００１４】
この表面シート２は吸水性を有するため、室内において発生する結露を吸水して防止することができ、結露水が滴下することを阻止することができる。また、表面シート２は和紙又は不織布からなるため、紫外線を吸収してカットすることができる。
【００１５】
表面シート２には、任意の模様を付すこともできる。例えば、市松模様、魚鱗様等の伝統的模様、幾何学模様、キャラクター、ポップな現代的アートやメッセージ等任意の模様を抄き込んだり、印刷その他の手段で施すことができる。この模様によって、ガラスの持つ冷たさを緩和することのできる柔らかな装飾を施すことができるとともに、その装飾を通して光を透過させることができ、個性有る雰囲気を醸し出して演出することが可能である。更に、表面シート２を着色したり、色分け模様を付すようにしてもよい。
【００１６】
支持フィルム層３は和紙又は不織布からなる表面シート２を補強して支持するためのものであり、ポリエチレン、ポリプロピレン等のフィルム素材をラミネート加工等によって、表面シート２の裏面全面に貼合させている。なお、支持フィルム層３は不透液性であっても透液性であってもよい。本実施形態では、支持フィルム層３としてポリプロピレン又はポリエチレンテレフタレートからなるフィルムを使用した。
【００１７】
粘着剤層４は支持フィルム層３の全面に所定厚さで塗布されており、ガラス面に接着・剥離可能であれば、どのような粘着剤であってもよい。ただ、接着力が弱すぎるとガラス面から脱落してしまい、又接着力が強すぎると剥離することが困難となるため、両者のバランスを調節した適度の接着力とする必要がある。本実施形態では、粘着剤層４として、二液架橋型アクリル系の水性エマルジョン型粘着剤を使用した。この粘着剤は低粘着〜中粘着力タイプで、加熱・経時後の粘着力の変化が小さい特性を有し、低温アタックに優れ、再剥離用途に適している。勿論、ガラス面に接着・剥離可能であれば、その他の粘着剤であってもよい。
【００１８】
剥離シート５は、粘着剤層４の全面に剥離可能に接着され、セパレータとして機能するものである。この剥離シート５は剥離剤を塗布したクラフト紙等のみならず、粘着剤層４と接着しないプラスチックフィルム、アルミ箔及びこれらの積層シート等の任意の素材を使用することができる。この剥離シート５によって粘着剤層４が被覆されているため、保存時や輸送時における取り扱いが容易である。
【００１９】
上記構成を有するガラス粘着シート１の形状は矩形状，三角形状，四角形状，丸形状，星形形状，連続したロール状等の任意の形状とすることができる。また、Ａ系列或いはＢ系列の所定サイズの矩形状としておけば、使用時はもとより保管時や輸送時の取り扱いが容易である。
【００２０】
上記構成のガラス粘着シート１を使用するには、ガラス粘着シート１から剥離シート５を取り去り、粘着剤層４を介して窓ガラス等のガラスに連続して、又は所定間隔で、或いはアトランダムに接着することにより、ガラスを通した視線からの遮蔽、直射日光の遮光、紫外線吸収、結露防止等を意図した通りに実施することができる。なお、粘着剤層４はガラスに接着・剥離可能であるため、接着作業のやり直しやガラス粘着シート１の位置の変更、交換、再利用等を任意に行うことができる。
【００２１】
ガラス粘着シート１が有する吸水性を確認するために、下記の実施例について吸水量を測定した。その結果を表１に示す。吸水量の測定はＪＩＳ Ｌ１９１２に準拠して、下記の手順によって行った。先ず本考案にかかる矩形状のガラス粘着シート１を２枚準備し、剥離シート５を除去し、粘着剤層４を相互に気泡が入らないようにして貼り合わせた後、１００ｍｍ×１００ｍｍのサイズに裁断して試験片とし、その重量を測定した。次に、この試験片を室温下の水槽の水面下２０ｍｍの位置で６０秒間保持した後、水槽から取り出し、試験片の一端をクリップで挟み１２０秒間垂直に吊して水分を切ってから重量を測定した。その後、吸水前の重量と吸水後の重量を使用して次式により吸水量を測定した。
吸水量（ｇ／ｍ２）＝（吸水後の重量−吸水前の重量）／２００×１００００
なお、支持フィルム層３及び粘着剤層４は吸水に寄与していないと仮定して測定した。
【００２２】
【表１】
0003164192.tif 000003
【００２３】
表１に示すように、実施例によれば５６ｇ／ｍ２以上の吸水量を有するため、本考案にかかるガラス粘着シート１は、室内において発生する結露を吸水して防止することのできる吸水性能を有しており、ガラス粘着シート１をガラスに貼り付けることにより結露水が滴下することを阻止することができる。
【００２４】
次に、前記した実施例１〜３のガラス粘着シート１を使用して、ＪＩＳ  Ａ５７５９に準拠して紫外線透過率を測定したところ、０．１８％〜０．２３％程度であった。よって、ほぼ９９％以上の紫外線をカットすることができた。更に、表面シート２の厚さ、密度等の物性を調節することによって、任意の透光率に調節することもできた。
【産業上の利用可能性】
【００２５】
以上詳細に説明したように、本考案によれば、和紙又は不織布からなる表面シートにはフィルム層が貼合されているため、ガラスを通した視線からの遮蔽、直射日光の遮光を耐久性を有して行うことができる。また、表面シートは吸水性や紫外線吸収性能を有しているため、結露の防止や紫外線をカットすることができる。更に、表面シートに模様を付すことによって、ガラスの持つ冷たさを緩和することのできる柔らかな装飾を施すことができ、しかもその装飾を通して光を透過させることができる。
【００２６】
また、フィルム層に塗布された粘着剤層を介してガラス面に接着するため、表面シートはフィルム層に支持された状態で接着することができて、取り扱いが容易である。しかも、粘着剤層をガラス面に接着・剥離可能とすることにより、接着時における接着作業の繰り返しや修正が容易であり、又再使用や別の場所への移動も可能である。そして、保存時や輸送時には剥離シートによって粘着剤層が被覆されているため、取り扱いが容易である。
【符号の説明】
【００２７】
１…ガラス粘着シート
２…表面シート
３…支持フィルム層
４…粘着剤層
５…剥離シート
【図１】
0003164192.tif 000004
【図２】
0003164192.tif 000005
【図３】
0003164192.tif 000006